(57)【要約】【課題】  スクリーンの巻取り軸に内蔵されたコイル状の巻取りスプリングの捩りによる回転付勢力をスクリーンの巻取用の駆動源とするスクリーン装置において、巻取り時における巻取りスプリングの蛇行の問題を解消する。【解決手段】  スクリーンの巻取り軸３に内蔵されたコイル状の巻取りスプリング１３の捩りによる回転付勢力をスクリーンの巻取用の駆動源とし、巻取りスプリングを貫通するスプリング軸１４の先端に、回転および摺動自在のスプリング受け１５を設けて巻取りスプリングを固定し、該スプリング受けを巻取り軸に対して回転不能で摺動自在に内挿したスクリーン装置において、スプリング受け１５とスプリング軸１４の先端に設けた受け部材１８との間に、スクリーンの展張時に縮径に伴って伸長した上記コイル状の巻取りスプリングを押し戻す方向に付勢する押しバネ２０を設ける。【選択図】        図１
2005299094.tif 000002
【特許請求の範囲】
【請求項１】
スクリーンの巻取り軸を回転自在に支持する支持部材に、巻取り軸に内蔵されるコイル状の巻取りスプリングの一端を連結するとともに、上記支持部材に固定的に連結されて巻取りスプリングを貫通するスプリング軸の先端に、回転および摺動自在のスプリング受けを設けて、該スプリング受けに上記巻取りスプリングの他端を固定し、該スプリング受けを巻取り軸に対して回転不能で軸方向摺動自在に内挿することにより構成され、上記巻取りスプリングの捩りによる回転付勢力をスクリーンの巻取用の駆動源とする自動巻取り式スクリーン装置において、
上記スプリング受けと上記スプリング軸の先端に設けた受け部材との間に、スクリーンの展張時に縮径に伴って伸長した上記コイル状の巻取りスプリングを押し戻す方向に付勢する押しバネを設けた、
ことを特徴とする自動巻取り式スクリーン装置。
【請求項２】
上記受け部材は、スプリング軸に対してその軸線方向に位置調整可能に螺挿したアジャストナットであることを特徴とする請求項１に記載の自動巻取り式スクリーン装置。
【請求項３】
上記スプリング受けは、上記巻取りスプリングの端部を固定する固定部を有するとともに、該固定部からコイル状の巻取りスプリング内に沿って延出する延出筒部を有することを特徴とする請求項１または２に記載の自動巻取り式スクリーン装置。
【発明の詳細な説明】
【技術分野】
【０００１】
本発明は、巻取りスプリングを巻取り用の駆動源としてスクリーンを巻取る自動巻取り式スクリーン装置に関し、更に詳しくは、スクリーンを展張する際に巻取りスプリングを捩ることにより回転付勢力を蓄え、スクリーンを巻取る際にこの回転付勢力により該スクリーンを巻取るようにした自動巻取り式スクリーン装置に関するものである。
【背景技術】
【０００２】
従来、スクリーン枠の固定框または操作框に回転自在に支持させた巻取り軸内に、コイル状のスクリーン巻取り用のスプリングを設けるとともに、スクリーンの先端を操作框または固定框に固定し、該スクリーンの展張時に該スプリングに蓄積した回転付勢力を駆動源として、該スクリーンを自動的に巻取るようにした自動巻取り式スクリーン装置は、広く知られている。
【０００３】
この種の自動巻取り式スクリーン装置においては、該スクリーンを展張して建物開口部に張設するのに伴い、巻取りスプリングが捩られて回転付勢力を蓄積し、該開口部を開く時にこの回転付勢力により該スクリーンを巻取るようにしている。そして、上記巻取りスプリングの捩りにより回転付勢力を蓄積するのに伴い、該スプリングはその巻き径を縮めるとともにその巻き長さを延ばし、逆に、スクリーンの巻取り時には該スプリングが巻き径が太くて巻き長さが短い状態に戻ろうとするが、このときに、図４によって以下に説明するように、スプリングが蛇行するという問題がある。
【０００４】
図４は、上記自動巻取り式スクリーン装置の要部を示すもので、同図（Ａ）はスクリーンの巻取り時の、同図（Ｂ）はスクリーンの展張時における巻取りスプリングの状態を示し、また、同図（Ｃ）はスクリーンの巻取り時に該スプリングが蛇行した異常状態を示している。
【０００５】
同図に示す自動巻取り式スクリーン装置の構成の概要を説明すると、このスクリーン巻取り機構３０は、スクリーンを巻取る巻取り軸３２を回転自在に支持する支持部材３１にコイル状の巻取りスプリング３３の一端を固定的に連結するとともに、上記支持部材３１に固定されて巻取りスプリング３３を貫通するスプリング軸３４の先端に回転および摺動自在のスプリング受け３５を設けて、該スプリング受け３５に上記巻取りスプリング３３の他端を固定し、該スプリング受け３５を、巻取り軸３２に対して回転不能で軸方向摺動自在に内挿することにより構成したものである。該スプリング受け３５の巻取り軸３２に対する回転は、巻取り軸３２の内面に突出する該巻取り軸の軸線方向の凸条に、スプリング受け３５の外周に設けた凹条を嵌合させることによって抑止されている。
【０００６】
そして、スクリーンを巻取っている図４の（Ａ）に示す状態では、巻取りスプリング３３がスクリーンの巻取り状態を維持できる程度の付勢力を有し、その巻き径が太くて巻き長さが短い状態になっている。この状態で、スクリーンを展張すると、同図（Ｂ）に示すように、巻取りスプリング３３が捩じられてその巻き径を縮めるとともにその巻き長さを延ばして、回転付勢力を蓄積する。このとき、上記巻き長さの延伸に伴ってスプリング受け３５はスプリング軸３４上を該軸３４の先端側に向かって摺動する。
【０００７】
上述したように巻取りスプリング３３に回転付勢力が蓄積された図４（Ｂ）の状態で、スクリーンを該回転付勢力により巻取ろうとすると、その巻取り開始時には巻取りスプリング３３に蓄積された回転付勢力が非常に大きく、そのため、巻取り軸３２とスプリング受け３５との接触面、特に、該巻取り軸３２の内面の凸条とスプリング受け３５の外周の凹条との間の接触面における摩擦力が大きく、その摩擦力が巻取りスプリング３３の拡径に伴う収縮力よりも大きいと、スプリング受け３５がスプリング軸３４上を復帰方向に摺動できなくなるので、図４（Ｃ）に示すように、スプリング受け３５が同図（Ｂ）に示す大きな回転付勢力を付与されたときの位置に保持されたままで、巻取りスプリング３３の回転付勢力により巻取り軸３２がスクリーンの巻取り方向に回転し、その結果、巻取りスプリング３３が収縮できないままでその巻き径が大きくなり、それに伴って巻取りスプリング３３に図示するような蛇行部３３ａが発生し、この蛇行に起因して巻取りスプリング３３によるスクリーンの巻取りが不円滑になり、場合によっては該巻取りスプリング３３が破損すると云う問題がある。
【発明の開示】
【発明が解決しようとする課題】
【０００８】
本発明は、このような問題を解決するためになされたものであり、その技術的課題は、巻取りスプリングを駆動源とし、巻取り軸にスクリーンを巻取るようにした自動巻取り式スクリーン装置において、上記巻取りスプリングの捩じりによる回転付勢力を円滑に巻取り軸に伝達し、巻取りスプリングの蛇行を防止できるようにした自動巻取り式スクリーン装置を提供することにある。
【課題を解決するための手段】
【０００９】
上記課題を解決するための本発明の自動巻取り式スクリーン装置は、スクリーンの巻取り軸を回転自在に支持する支持部材に、巻取り軸に内蔵されるコイル状の巻取りスプリングの一端を連結するとともに、上記支持部材に固定的に連結されて巻取りスプリングを貫通するスプリング軸の先端に、回転および摺動自在のスプリング受けを設けて、該スプリング受けに上記巻取りスプリングの他端を固定し、該スプリング受けを巻取り軸に対して回転不能で軸方向摺動自在に内挿することにより構成され、上記巻取りスプリングの捩りによる回転付勢力をスクリーンの巻取用の駆動源とする自動巻取り式スクリーン装置において、上記スプリング受けと上記スプリング軸の先端に設けた受け部材との間に、スクリーンの展張時に縮径に伴って伸長した上記コイル状の巻取りスプリングを押し戻す方向に付勢する押しバネを設けたことを特徴とするものである。
【００１０】
上記構成を有する自動巻取り式スクリーン装置においては、巻取りスプリングに回転付勢力が蓄積された状態でスクリーンを該回転付勢力により巻取るとき、巻取り軸とそれに内挿したスプリング受けとの間の接触面における摩擦力が多少大きくても、巻取りスプリングの拡径に伴う収縮力に加えて、スプリング受けにそれを押し戻す方向に付勢する押しバネの付勢力が作用するので、該スプリング受けがスプリング軸上を復帰方向に摺動し、そのため、巻取りスプリングが長さ方向に収縮できないままでその巻き径が大きくなることはなく、結果的に、巻取りスプリングに蛇行部が生じるのを抑制することができる。
【００１１】
本発明の自動巻取り式のスクリーン装置の好ましい実施形態においては、上記受け部材が、スプリング軸に対してその軸線方向に位置調整可能に螺挿したアジャストナットによって構成され、これによって押しバネの付勢力を調整することができる。
また、上記スプリング受けは、上記巻取りスプリングの端部を固定する固定部を有するとともに、該固定部からコイル状の巻取りスプリング内に沿って延出する延出筒部を有するものとして構成することができ、これによっても巻取りスプリングの蛇行を抑制することができる。
【発明の効果】
【００１２】
本発明に係る自動巻取り式スクリーン装置においては、スプリング受けと受け部材との間に押しバネを設けたので、巻取りスプリングの捩じりによる回転付勢力を円滑に開放してスクリーンを巻取り、巻取りスプリングの蛇行を防止することができる。
【発明を実施するための最良の形態】
【００１３】
以下に、図１〜図３に示す本発明の自動巻取り式スクリーン装置の実施例について詳述する。
この実施例の自動巻取り式スクリーン装置は、本発明を、スクリーンとして防虫ネットを用いる横引きの網戸に適用したもので、図１は、その自動巻取り式網戸の主要部の構成を、即ち、防虫ネット１と該ネット１を巻取る巻取り軸３を回転可能に保持している框２を主体とし、該巻取り軸３に捲回したネット１を横引き式に開閉できるようにした網戸の構成を示している。また、図２および図３はそのスクリーン巻取り機構の具体的構成を詳細に示している。なお、ここに例示する実施例ではネット１を横引きで開閉するようにしているが、巻取り軸３を水平配置する縦引きにも適用することができる。
【００１４】
この自動巻取り式網戸は、図１に示すように、ネット１の一端に枠材４を装着し、該ネット１の他端を、開閉操作用の框（巻取りボックス）２における開口部を通してその内部に保持された巻取り軸３に捲着したもので、上記枠材４を建物開口部の一側に固定し、上記巻取り軸３を保持する開閉操作用の框２を左右方向に移動可能に構成したものである。しかしながら、上記枠材４を開閉操作用の可動框とし、巻取り軸３を保持する框２を建物開口部の一側に固定する固定框とすることもできる。
【００１５】
上記巻取り軸３を回転自在に保持する框２は、上記巻取り軸３を含むネット巻取り機構５を収容した巻取りボックスとして構成されている。
このネット巻取り機構５では、上記框２における上下の支持部材６，７間に上記巻取り軸３を回転可能に支持しているが、上部の支持部材６による巻取り軸３の支持は、該支持部材６に回転自在の歯車状筒部材８およびそれに固定した連結筒９を介し、該連結筒９に巻取り軸３を固定することにより、上記歯車状筒部材８および連結筒９とともに巻取り軸３を支持部材６に対して回転可能にしている。
【００１６】
上記筒部材８に対する連結筒９の連結は、図３からわかるように、該連結筒９の内面に凹溝９ａを設け、該凹溝９ａを筒部材８の嵌合面に設けた凸条（図示省略）と嵌め合わせることにより、それらを抜脱できるが相互に回転不能に連結するものであり、また、上記連結筒９に対する巻取り軸３の固定も、同様な手段で行われる。
なお、上記歯車状筒部材８における歯車部分は、ネット１を張設した状態で巻取り軸３の風等による回転を抑止するために、網戸枠に設けたラック等に噛合させるためのものである。
【００１７】
上記框２の上部の支持部材６には、それにスプライン嵌合により連結した中間支持部材１２を介して、巻取り軸３に内蔵されるコイル状の巻取りスプリング１３の一端を連結している。また、上記中間支持部材１２には、巻取りスプリング１３内を貫通するスプリング軸１４をピン１４ａで固定的に連結し、そのスプリング軸１４の先端に、スプリング受け１５を回転および摺動自在に嵌挿して、該スプリング受け１５の固定部１５ａに上記巻取りスプリング１３の他端を固定している。また、上記スプリング受け１５には、巻取りスプリングの固定部１５ａからコイル状の巻取りスプリング１３内に沿って延出する延出筒部１５ｂを設けている。この延出筒部１５ｂは、巻取りスプリング１３の蛇行を抑制するためのものである。
【００１８】
そして、該スプリング受け１５を、巻取り軸３に対して回転不能で軸方向摺動自在に内挿している。該スプリング受け１５の巻取り軸３に対する回転は、巻取り軸３の内面に突出する該巻取り軸３の軸線方向の凸条に、スプリング受け１５の外周に設けた凹条を嵌合させることによって抑止され、また、上記巻取り軸３とスプリング受け１５とは、上記巻取り軸３の内面の凸条とスプリング受け１５の凹条の嵌合により、軸方向に相互に摺動自在になっている。
【００１９】
上記スプリング軸１４の先端には受け部材１８を固定し、上記スプリング受け１５と該受け部材１８との間に、スクリーン１の展張時に縮径に伴って伸長した上記コイル状の巻取りスプリング１３を押し戻す方向に付勢する押しバネ２０を介装している。この押しバネ２０は、上記巻取りスプリング１３を押し戻すに必要な付勢力を蓄積できるものとする必要がある。上記受け部材１８は、スプリング軸１４に対してその軸線方向に位置調整可能に螺挿したアジャストナットにより構成することができる。
【００２０】
つぎに、上記自動巻取り式網戸の作用について説明する。
ネット１の収納時には、該ネット１が巻取り軸３に巻取られ、ネット巻取り機構５は図２の（Ａ）に示す状態にある。この時の巻取りスプリング１３は、スクリーン１の巻取り状態を維持できる程度の付勢力を有し、その巻き径が太くて巻き長さが短い状態になっている。
この状態でスクリーンを展張すると、同図（Ｂ）に示すように、巻取りスプリング１３が捩じられてその巻き径を縮めるとともに、その巻き長さを延ばし、捩り力は全て巻取りスプリング１３の変形として該巻取りスプリング１３に蓄積される。このとき、上記巻き長さの延伸に伴ってスプリング受け１５はスプリング軸１４上を該軸１４の先端側に向かって摺動し、押しバネ２０を圧縮する。これにより、該押しバネ２０には巻取りスプリング１３を押し戻す方向の付勢力が蓄積される。
【００２１】
ついで、巻取りスプリング１３に蓄積された回転付勢力によりネット１を巻き取ろうとすると、巻取りスプリング１３はその回転付勢力により急速に巻取り軸３を回転させてネット１を巻取るが、その際、押しバネ２０が図２（Ｃ）に矢印で示すようにスプリング受け１５を介して巻取りスプリング１３をその長さが短縮される方向に付勢するので、図４の（Ｃ）に示す従来例のように、巻取りスプリング１３に蛇行部が生じるようなことがなく、巻取りスプリング１３が円滑にその巻き径および巻き長さを復帰させ、その破損を防止することができる。
また、スプリング受け１５における延出筒部１５ｂを巻取りスプリング１３の蛇行が生じやすい部位に設けているので、押しバネ２０と協働して巻取りスプリング１３の蛇行を抑制することができる。
【００２２】
また、上記巻取り機構５は、従来の構造に較べてアジャストナットと押しバネを追加しただけで、構造が非常に簡易であるため、この種の装置に容易且つ安価に適用することができる。
なお、ここではスクリーンとして防虫ネットを用いた網戸について説明したが、遮光、目隠し、断熱、装飾その他各種のスクリーンの巻取り機構に適用することができる。
【図面の簡単な説明】
【００２３】
【図１】本発明の実施例における巻取り機構の構成を示す要部断面図である。
【図２】（Ａ）〜（Ｃ）は上記実施例における異なる動作状態を示す要部断面図で、（Ａ）はネットの巻取り状態、（Ｂ）はネット張設状態、（Ｃ）はネットの張設状態から巻取ったときの状態を示している。
【図３】上記巻取り機構の要部分解斜視図である。
【図４】（Ａ）〜（Ｃ）は、従来の自動巻取り式スクリーン装置における巻取り機構の異なる動作状態を示す要部断面図である。
【符号の説明】
【００２４】
１      ネット
３      巻取り軸
６，７    支持部材
１３      巻取りスプリング
１４      スプリング軸  
１５      スプリング受け
１５ａ    固定部
１５ｂ    延出筒部
１８      受け部材
２０      押しバネ
【図１】
2005299094.tif 000003
【図２】
2005299094.tif 000004
【図３】
2005299094.tif 000005
【図４】
2005299094.tif 000006